(57)【要約】【課題】操作スイッチを操作したときの力によって、操作スイッチと基板との接合部や基板自体が損傷するのを抑えるとともに、組み立て性を向上する。【解決手段】照明装置１は、車両に取り付けられるハウジング２と、ハウジング２に固定される基板３と、ハウジング２に固定され、基板３を押さえつけるカバー部材４と、基板３に取り付けられる発光素子５と、基板３に取り付けられ、基板３に接離する方向に操作されることで発光素子５の点消灯を切り替える操作スイッチ６と、ハウジング２に形成され、操作スイッチ６の一部に係合し、操作スイッチ６の基板３側への移動を規制する移動規制部７と、を備える。【選択図】図１０
2019034687.tif 000002
【特許請求の範囲】
【請求項１】
車両に取り付けられるハウジングと、
前記ハウジングに固定される基板と、
前記ハウジングに固定され、前記ハウジングとともに前記基板を挟持し、前記ハウジングとは反対側から押さえつけるカバー部材と、
前記基板に取り付けられる発光素子と、
前記基板に前記ハウジング側に向かって突出するように取り付けられ、前記基板に接離する方向に操作されることで前記発光素子の点消灯を切り替える操作スイッチと、
前記ハウジングに形成され、前記操作スイッチの一部に係合して前記操作スイッチの前記基板側への移動を規制する移動規制部と、
を備えることを特徴とする照明装置。
【請求項２】
前記操作スイッチは、前記基板に固定される本体部と、前記本体部に対して出没可能なスイッチ部と、を備え、
前記本体部には、前記スイッチ部の出没方向に交差する方向に窪んだ凹部が設けられ、
前記移動規制部は、前記凹部内に挿入される
ことを特徴とする請求項１に記載の照明装置。
【請求項３】
前記移動規制部は、前記基板と平行に形成された板状部と、前記板状部に形成され、前記スイッチ部の出没方向に交差する方向に凹入した切り欠き部と、を有し、
前記切り欠き部の内周縁部が前記凹部内に挿入される
ことを特徴とする請求項２に記載の照明装置。
【請求項４】
前記切り欠き部の前記内周縁部は、前記スイッチ部の出没方向に交差する方向に開口する開口端を有し、
前記開口端及び前記内周縁部は、前記操作スイッチの前記凹部の外径よりも幅広に形成されている
ことを特徴とする請求項３に記載の照明装置。
【請求項５】
前記切り欠き部の前記内周縁部に沿って、前記板状部の表面に対して窪んだ段部が形成されている
ことを特徴とする請求項３または４に記載の照明装置。
【請求項６】
前記ハウジングに形成され、前記切り欠き部の凹入方向に交差する方向で、前記基板に突き当たる基板位置決め部をさらに備える
ことを特徴とする請求項３〜５の何れか一項に記載の照明装置。
【請求項７】
前記カバー部材は、前記基板に向かって突出し、前記基板の一部に突き当たることで、前記基板を拘束する凸部を備える
ことを特徴とする請求項１〜６の何れか一項に記載の照明装置。
【請求項８】
前記凸部は、前記切り欠き部の凹入方向に沿って延び、
前記基板の外周側から前記基板に近づくにつれて前記カバー部材からの突出高さが漸次小さくなる傾斜部を有し、
前記傾斜部に前記基板の外周端部が突き当たることで、前記操作スイッチが前記切り欠き部から抜け出る方向への前記基板の移動が拘束される
ことを特徴とする請求項７に記載の照明装置。
【請求項９】
前記ハウジングに形成され、前記基板の外周部に沿って設けられた第一隔壁をさらに備えることを特徴とする請求項１〜請求項８の何れか１項に記載の照明装置。
【請求項１０】
前記ハウジングに形成され、前記基板に設けられた前記発光素子と、前記基板に設けられた前記操作スイッチとの間に配置された第二隔壁をさらに備えることを特徴とする請求項９に記載の照明装置。
【発明の詳細な説明】
【技術分野】
【０００１】
本発明は、例えば車両の車内を照明する照明装置に関するものである。
【背景技術】
【０００２】
例えば、自動車の天井に、車内を照明する照明装置が設けられる。例えば特許文献１には、光源としての冷極陰管と、光源のオンオフを操作する操作スイッチと、これら光源及び操作スイッチを実装した基板とを備える室内照明装置が開示されている。
【先行技術文献】
【特許文献】
【０００３】
【特許文献１】特開２００５−２８９２０２号公報
【発明の概要】
【発明が解決しようとする課題】
【０００４】
しかしながら、特許文献１に開示された室内照明装置においては、操作スイッチが基板に実装されている。このため、操作スイッチを押して操作した場合に、その操作力が、操作スイッチを介し、操作スイッチと基板との接合部や基板に伝達される。その結果、操作スイッチと基板との半田による接合部に負荷が掛かって半田が割れたり、基板が曲がったりしてしまう可能性があった。
【０００５】
また、基板は、室内照明装置のハウジングに複数のネジによって固定されている。このため、基板をハウジングに固定する作業に、手間が掛かり、作業コストや部品コストの低減の妨げとなる可能性があった。
【０００６】
そこで、本発明は、上述した事情に鑑みてなされたものであって、操作スイッチを操作したときの力によって、操作スイッチと基板との接合部や基板自体が損傷するのを抑えるとともに、組み立て性を向上することのできる照明装置を提供することである。
【課題を解決するための手段】
【０００７】
本発明は、上記課題を解決するため、以下の手段を採用する。
すなわち、本発明の照明装置は、車両に取り付けられるハウジングと、前記ハウジングに固定される基板と、前記ハウジングに固定され、前記ハウジングとともに前記基板を挟持し、前記ハウジングとは反対側から押さえつけるカバー部材と、前記基板に取り付けられる発光素子と、前記基板に前記ハウジング側に向かって突出するように取り付けられ、前記基板に接離する方向に操作されることで前記発光素子の点消灯を切り替える操作スイッチと、前記ハウジングに形成され、前記操作スイッチの一部に係合して前記操作スイッチの前記基板側への移動を規制する移動規制部と、を備えることを特徴とする。
【０００８】
このような構成によれば、移動規制部が操作スイッチの基板側への移動を規制する。これにより、発光素子の点消灯を切り替えるために操作スイッチを基板に接離する方向に操作した場合、操作スイッチの操作力が、操作スイッチを介して、操作スイッチと基板との接合部や、基板に伝達されるのを抑えることができる。したがって、操作スイッチと基板との接合部の半田に割れが生じたり、基板が曲がってしまうのを抑えることができる。
また、ハウジングに固定される基板をカバー部材で押さえつけることで、基板のハウジングに対して基板を固定するためのネジの本数を抑えることができる。これによって、基板をハウジングに固定する作業に掛かる手間を抑え、作業コストや部品コストを低減することができる。
さらに、基板の回路を構成する素子がカバー部材で覆われるため、照明装置を車両に組付ける際に、作業者が素子に触れたり、外部から塵などが基板の回路に付着したりするのを防ぐことができる。
【０００９】
また、本発明の照明装置は、前記操作スイッチが、前記基板に固定される本体部と、前記本体部に対して出没可能なスイッチ部と、を備え、前記本体部には、前記スイッチ部の出没方向に交差する方向に窪んだ凹部が設けられ、前記移動規制部は、前記凹部内に挿入されるのが好ましい。
【００１０】
このような構成によれば、操作スイッチの本体部に形成された凹部に、ハウジングに形成された移動規制部が挿入されることで、移動規制部が操作スイッチの一部に係合し、操作スイッチの基板側への移動を規制することができる。これにより、操作スイッチの操作力が、操作スイッチを介して、操作スイッチと基板との接合部や、基板に伝達されるのを抑えることができる。
【００１１】
また、本発明の照明装置は、前記移動規制部が、前記基板と平行に形成された板状部と、前記板状部に形成され、前記スイッチ部の出没方向に交差する方向に凹入した切り欠き部と、を有し、前記切り欠き部の内周縁部が前記凹部内に挿入されるようにしてもよい。
【００１２】
このような構成によれば、切り欠き部の内周縁部が操作スイッチの本体部の凹部に挿入されることで、操作スイッチの基板側への移動が規制される。組み立てに際しては、操作スイッチの本体部を切り欠き部に嵌め入れればよいので、照明装置の組立性を向上させることができる。
【００１３】
また、本発明の照明装置は、前記切り欠き部の前記内周縁部は、前記スイッチ部の出没方向に交差する方向に開口する開口端を有し、前記開口端及び前記内周縁部は、前記操作スイッチの前記凹部の外径よりも幅広に形成されているようにしてもよい。
【００１４】
このような構成によれば、切り欠き部の開口端及び内周縁部を、操作スイッチの凹部の外径よりも幅広に形成することで、操作スイッチの本体部を切り欠き部に容易に嵌め入れることができる。さらに、本体部を切り欠き部に嵌め入れた状態で、切り欠き部から操作スイッチに応力が作用するのを抑えることができる。これにより、操作スイッチを介して、操作スイッチと基板との接合部に応力が作用するのを抑えることができる。
【００１５】
また、本発明の照明装置は、前記切り欠き部の前記内周縁部に沿って、前記板状部の表面に対して窪んだ段部が形成されているようにしてもよい。
【００１６】
このような構成によれば、操作スイッチの凹部に切り欠き部の内周縁部を挿入すると、操作スイッチの本体部の外周側に段部が位置することになる。これにより、操作スイッチの切り欠き部への装着状態を、目視により容易に確認することができる。
【００１７】
また、本発明の照明装置は、前記ハウジングに形成され、前記切り欠き部の凹入方向に交差する方向で、前記基板に突き当たる基板位置決め部をさらに備えるようにしてもよい。
【００１８】
このような構成によれば、基板位置決め部が基板に突き当たることで、切り欠き部の凹入方向に交差する方向における基板の位置ズレを抑えることができる。これにより、基板をハウジングに固定するネジは、切り欠き部の凹入方向にのみ基板を固定すればよく、ネジの本数を減少させることができる。
【００１９】
また、本発明の照明装置は、前記カバー部材が、前記基板に向かって突出し、前記基板の一部に突き当たることで、前記基板を拘束する凸部を備えるようにしてもよい。
【００２０】
このような構成によれば、凸部が基板の一部に突き当たることで、基板を拘束することができるので、基板をハウジングに固定するためのネジの本数を減少させることができる。
【００２１】
また、本発明の照明装置は、前記凸部が、前記切り欠き部の凹入方向に沿って延び、前記基板の外周側から前記基板に近づくにつれて前記カバー部材からの突出高さが漸次小さくなる傾斜部を有し、前記傾斜部に前記基板の外周端部が突き当たることで、前記操作スイッチが前記切り欠き部から抜け出る方向への前記基板の移動が拘束されるようにしてもよい。
【００２２】
このような構成によれば、基板の外周端部が、カバー部材に形成された凸部の傾斜部に突き当たることで、基板のガタ付きを抑えることができる。このようにして、カバー部材で基板を押さえつけることで、基板をハウジングに固定するためのネジの本数を減少させることができる。
【００２３】
また、本発明の照明装置は、前記ハウジングに形成され、前記基板の外周部に沿って設けられた第一隔壁をさらに備えるようにしてもよい。
【００２４】
このような構成によれば、第一隔壁により、基板に設けられた発光素子からの光が、ハウジングに形成された他のスイッチやランプ等から漏れ出すのを防ぐことができる。
【００２５】
また、本発明の照明装置は、前記ハウジングに形成され、前記基板に設けられた前記発光素子と、前記基板に設けられた前記操作スイッチとの間に配置された第二隔壁をさらに備えるようにしてもよい。
【００２６】
このような構成によれば、第二隔壁により、発光素子からの光が操作スイッチ等に反射することによる影が形成されるのを防ぐことができる。
【発明の効果】
【００２７】
本発明によれば、操作スイッチを操作したときの力によって、操作スイッチと基板との接合部や基板自体が損傷するのを抑えるとともに、組み立て性を向上することが可能となる。
【図面の簡単な説明】
【００２８】
【図１】本発明の実施形態における照明装置の斜視図である。
【図２】本発明の実施形態における照明装置に設けられたルームランプの構成を示す斜視展開図である。
【図３】本発明の実施形態におけるルームランプを構成する基板を示す斜視図である。
【図４】本発明の実施形態におけるルームランプをハウジングの下面側から見た斜視図である。
【図５】本発明の実施形態におけるハウジングを、ハウジングの上面側から見た斜視図である。
【図６】本発明の実施形態における基板を、ハウジングの上面側から見た平面図である。
【図７】本発明の実施形態における基板を、ハウジングに取り付ける際の手順の一つを示す斜視図である。
【図８】本発明の実施形態におけるハウジングに形成された移動規制部を示す斜視図である。
【図９】本発明の実施形態における移動規制部に操作スイッチの一部を係合させた状態を示す斜視図である。
【図１０】本発明の実施形態における移動規制部と操作スイッチとの係合状態を示す断面図である。
【図１１】本発明の実施形態における操作スイッチの本体部を移動規制部の切り欠き部に挿入する状態を示す斜視図である。
【図１２】本発明の実施形態におけるカバー部材を示す斜視図である。
【図１３】本発明の実施形態におけるカバー部材に対する基板の位置関係を示す斜視図である。
【図１４】本発明の実施形態におけるカバー部材に対する基板の位置関係を示す拡大斜視図である。
【図１５】本発明の実施形態におけるカバー部材をハウジングに固定した状態を示す斜視図である。
【発明を実施するための形態】
【００２９】
次に、本発明の実施形態に係る照明装置について、図面を参照して説明をする。
図１は、本発明の実施形態における照明装置の斜視図である。
【００３０】
同図に示すように、照明装置１は、自動車等の車両の車室の上部を形成する天井に取り付けられる。照明装置１は、車両の天井に取り付けられハウジング２を備えている。ハウジング２には、ルームランプ１１と、各種の操作スイッチ１２Ａ〜１２Ｅと、物品を収容する収容部１３と、各種の情報を表示するインジケーターランプ１４と、が設けられている。このハウジング２は樹脂により形成されており、不図示のボルト等によって、車両の天井に固定される。
【００３１】
操作スイッチ１２Ａ〜１２Ｅは、天井側に押し込んだり、天井に沿った方向にスライドさせたりすることで、操作される。これらの操作スイッチ１２Ａ〜１２Ｅは、その内部に設けられた発光素子を備えるとともに、発光素子を覆うように設けられて、発光素子からの光を透過する光透過性を有したスイッチカバー１５を有している。
収容部１３は、ハウジング２に対して開閉可能な蓋１６を有し、蓋１６を開くことで、その内側に形成された収容空間（図示無し）に物品を出し入れできる。
【００３２】
図２は、本発明の実施形態における照明装置に設けられたルームランプの構成を示す斜視展開図である。図３は、本発明の実施形態におけるルームランプを構成する基板を示す斜視図である。図４は、本発明の実施形態におけるルームランプをハウジングの下面側から見た斜視図である。
図２に示すように、照明装置１のルームランプ１１は、ハウジング２において天井側を向く上面２ａに固定される基板３と、ハウジング２の上面２ａ側に設けられ、基板３をハウジング２側に押さえつけるカバー部材４と、ハウジング２において車室側を向く下面２ｂに設けられるスイッチカバー１７（図１参照）と、を備えている。
【００３３】
図３に示すように、基板３は、例えば平面視略Ｌ字状の板状の基板本体３１と、電子回路を構成する複数の素子３２と、ＬＥＤ（Ｌｉｇｈｔ  Ｅｍｉｔｔｉｎｇ  Ｄｉｏｄｅ：発光ダイオード）等からなる発光素子５と、発光素子５の点消灯を切り替える操作スイッチ６と、を備えている。
図３、図４に示すように、これら複数の素子３２、発光素子５、及び操作スイッチ６は、基板本体３１において車室側を向く表面３１ａに実装されている。
【００３４】
操作スイッチ６は、基板３に固定される本体部６１と、本体部６１に対して出没可能なスイッチ部６２と、を備えている。
【００３５】
本体部６１は、略直方体状で基板３の表面３１ａに固定されるベース部６３と、ベース部６３から車室側に向かって延びる略円柱状の柱状部６４と、が一体に設けられている。柱状部６４の外周面には、径方向外側に向かって拡径するフランジ部６５が、ベース部６３の表面６３ａに対して間隔をあけて平行に形成されている。これにより、柱状部６４の外周面には、フランジ部６５とベース部６３の表面６３ａとの間に、径方向内側に窪み、周方向に連続する溝状の凹部６６が形成されている。この凹部６６は、後述するスイッチ部６２の出没方向Ｄｓに交差する方向に窪んでいる。
【００３６】
スイッチ部６２は、本体部６１の柱状部６４に対し、基板３の基板本体３１の表面３１ａに直交する方向Ｄｓに出没可能に設けられている。操作者がスイッチカバー１７を押し、スイッチ部６２を本体部６１の柱状部６４に対して出没する方向Ｄｓに操作することで、発光素子５の点消灯が切り替わる。すなわち、操作スイッチ６は、基板３に接離する方向Ｄｓに操作されることで発光素子５の点消灯を切り替える。
【００３７】
図２、図４に示すように、ハウジング２には、その上面２ａ側と下面２ｂ側とを貫通する開口部２１が形成されている。上記の基板３は、その外周部の一部が開口部２１の周縁部に突き当たることで、ハウジング２の上面２ａに沿うように配置される。また、基板３は、開口部２１の内側に、発光素子５と操作スイッチ６とが望むように配置される。
【００３８】
図５は、本発明の実施形態におけるハウジングを、ハウジングの上面側から見た斜視図である。図６は、本発明の実施形態における基板を、ハウジングの上面側から見た平面図である。図７は、本発明の実施形態における基板を、ハウジングに取り付ける際の手順の一つを示す斜視図である。
図２、図５、図６に示すように、基板３を固定するため、ハウジング２の上面２ａには、基板位置決め部２２、２３、２４、２５が、上面２ａから隆起して形成されている。
【００３９】
図２、図６に示すように、基板位置決め部２２、２３は、基板本体３１の第一端部３１ｅに形成された凹溝３３、３４内に挿入される。凹溝３３、３４は、基板本体３１の第一端部３３ｅから、第一端部３１ｅに対向する第二端部３１ｆに向かって窪むように形成されている。基板位置決め部２２、２３は、凹溝３３、３４内に挿入されることで、基板本体３１の、第一端部３１ｅと第二端部３１ｆとを結ぶ方向Ｄ１に交差する方向Ｄ２への移動を規制する。ここで、基板位置決め部２２は、円柱状で、その先端部には雄ネジ部が形成され、ネジ２６を螺着させることで、基板本体３１をハウジング２に固定できる。
【００４０】
また、基板位置決め部２４、２５は、基板本体３１において、第一端部３１ｅと第二端部３１ｆとを結ぶ方向Ｄ１に延びる側辺３１ｂに沿うように設けられている。基板位置決め部２４、２５は、第一端部３１ｅと第二端部３１ｆとを結ぶ方向Ｄ１に交差し、基板位置決め部２４、２５に突き当たる方向Ｄ２への基板本体３１の移動を規制する。
【００４１】
また、ハウジング２の上面２ａには、基板本体３１の第二端部３１ｆの一つの角部３１ｃの近傍に、第一ガイド部２７ａと、第一ガイド部２７ａに直交する第二ガイド部２７ｂとを有して平面視Ｌ字状をなしたガイド部２７が形成されている。ガイド部２７の第一ガイド部２７ａは、基板本体３１の第二端部３１ｆに対し、第一端部３１ｅから離間する方向に所定寸法の間隔をあけて形成されている。第二ガイド部２７ｂは、基板本体３１において、第一端部３１ｅと第二端部３１ｆとを結ぶ方向Ｄ１に延び、側辺３１ｂと反対側の側辺３１ｄ側に形成されている。
【００４２】
ガイド部２７は、基板３をハウジング２に組み付けるときに用いられる。具体的には、図７に示すように、基板３をハウジング２に組み付けるに際し、基板本体３１の角部３１ｃを、ガイド部２７の第一ガイド部２７ａ及び第二ガイド部２７ｂに押し当てた状態で、基板本体３１をハウジング２の上面２ａに沿わせる。この状態で、基板本体３１は、角部３１ｃにおいて側辺３１ｄがガイド部２７の第二端部３１ｆに突き当たり、側辺３１ｂが基板位置決め部２４、２５に突き当たる。
これにより、基板本体３１は、第一端部３１ｅと第二端部３１ｆとを結ぶ方向Ｄ１に交差する方向Ｄ２への移動が規制された状態で保持される。また、この状態で、基板位置決め部２２、２３は、基板本体３１の第一端部３１ｅの凹溝３３、３４に完全には挿入されていない。
【００４３】
この後、図２、図６に示すように、基板本体３１を、ハウジング２の上面２ａに沿って第一端部３１ｅ側に移動させると、基板位置決め部２２、２３が、凹溝３３、３４内に挿入される。そして、この状態で、基板本体３１の周囲２個所に、後述するカバー部材４を固定するためのネジ穴２ｈ、２ｇが、ハウジング２の上面２ａに形成されている。
【００４４】
図８は、本発明の実施形態におけるハウジングに形成された移動規制部を示す斜視図である。図９は、本発明の実施形態における移動規制部に操作スイッチの一部を係合させた状態を示す斜視図である。
図４、図８、図９に示すように、ハウジング２の下面２ｂ側には、操作スイッチ６の一部に係合し、操作スイッチ６の基板３側への移動を規制する移動規制部７が形成されている。移動規制部７は、基板３と平行に形成された板状部７１と、板状部７１に形成された切り欠き部７２と、を有している。
【００４５】
板状部７１は、この板状部７１以外のハウジング２の肉厚（例えば、後述の第二隔壁２９等）よりも厚肉に形成されている。
切り欠き部７２は、板状部７１において基板本体３１の第二端部３１ｆ（図７参照）側を向く端部７１ｆに形成され、端部７１ｆから基板本体３１の第一端部３１ｅ側に向かって凹入するよう、平面視略Ｕ字状に形成されている。このような切り欠き部７２は、スイッチ部６２の出没方向Ｄｓ（図９参照）に交差する方向に凹入している。具体的には、図８に示すように、切り欠き部７２の内周縁部７２ｅは、スイッチ部６２の出没方向Ｄｓに交差する方向に開口する開口端７２ａと、開口端７２ａに連続する湾曲部７２ｃと、を有している。
【００４６】
ここで、開口端７２ａ及び内周縁部７２ｅは、操作スイッチ６の凹部６６の外径よりも幅広に形成されている。開口端７２ａは、湾曲部７２ｃから離間するにしたがって、その幅方向の開口寸法が漸次拡大するよう傾斜して形成されている。また、湾曲部７２ｃは、操作スイッチ６の凹部６６の外径よりも僅かに大きい曲率半径で形成されている。さらに、板状部７１には、切り欠き部７２の内周縁部７２ｅに沿って、板状部７１の表面７１ｇ（板状部７１のカバー部材４側の面）に対して窪んだ段部７３が形成されている。
【００４７】
図１０は、本発明の実施形態における移動規制部と操作スイッチとの係合状態を示す断面図である。図１１は、本発明の実施形態における操作スイッチの本体部を移動規制部の切り欠き部に挿入する状態を示す斜視図である。
図９、図１０に示すように、このような切り欠き部７２の内周縁部７２ｅは、操作スイッチ６の本体部６１に形成された凹部６６内に挿入される。操作スイッチ６の本体部６１に形成された凹部６６に、ハウジング２に形成された移動規制部７が挿入されることで、移動規制部７が操作スイッチ６の一部に係合し、操作スイッチ６の本体部６１の基板３側への移動が規制される。これにより、発光素子５の点消灯を切り替えるために操作スイッチ６のスイッチ部６２を基板３に接離する方向Ｄｓに操作しても、操作スイッチ６の操作力が、操作スイッチ６を介して、操作スイッチ６と基板３との接合部や、基板３に伝達されるのが抑えられる。
【００４８】
また、照明装置１の組み立てに際しては、上記したように基板３の基板本体３１の角部３１ｃをガイド部２７の第一ガイド部２７ａ及び第二ガイド部２７ｂに押し当てた状態では、図１１に示すように、操作スイッチ６の本体部６１は、切り欠き部７２に対し、離間した側に位置している。そして、基板本体３１を第一端部３１ｅ側に移動させると、操作スイッチ６の本体部６１の凹部６６が切り欠き部７２内に開口端７２ａから入り込み、内周縁部７２ｅの湾曲部７２ｃに突き当たる。
【００４９】
これにより、図９に示すように、操作スイッチ６の本体部６１が移動規制部７により支持され、本体部６１の基板３側への移動が規制される。また、切り欠き部７２の開口端７２ａ及び内周縁部７２ｅが、操作スイッチ６の凹部６６の外径よりも幅広であるので、切り欠き部７２から操作スイッチ６に応力が作用するのを抑えられる。
また、操作スイッチ６の本体部６１が切り欠き部７２に挿入された状態で、操作スイッチ６のフランジ部６５の外周側に段部７３が位置することになる。これにより、操作スイッチ６の切り欠き部７２への装着状態が目視により容易に確認される。
【００５０】
図１２は、本発明の実施形態におけるカバー部材を示す斜視図である。図１３は、本発明の実施形態におけるカバー部材に対する基板の位置関係を示す斜視図である。図１４は、本発明の実施形態におけるカバー部材に対する基板の位置関係を示す拡大斜視図である。図１５は、本発明の実施形態におけるカバー部材をハウジングに固定した状態を示す斜視図である。
図１２〜図１５に示すように、基板３を押さえつけるカバー部材４は、板状部４１と、板状部４１の外周部からハウジング２側に立ち上がる周壁部４２と、を一体に有している。
【００５１】
板状部４１は、基板３の基板本体３１の全体を覆うように形成され、ハウジング２から離間した側の表面４１ｆには、補強のためのリブ４３が格子状に形成されている。また、板状部４１には、操作スイッチ６の端子を逃げる逃げ部４４が形成されている。
【００５２】
また、カバー部材４は、板状部４１において基板３に対向する側の裏面４１ｇには、基板３に向かって突出するリブ状の凸部４５が形成されている。図１３、図１４に示すように、凸部４５は、カバー部材４において、基板３の基板本体３１の第二端部３１ｆ側に、複数個（例えば３個）が形成されている。各凸部４５は、切り欠き部７２の凹入方向、言い換えると、基板３の第一端部３１ｅと第二端部３１ｆとを結ぶ方向Ｄ１に延びるよう形成されている。凸部４５は、基板３の外周側から基板３に近づくにつれてカバー部材４からの突出高さが漸次小さくなる傾斜部４６を有している。なお、一部の凸部４５は、傾斜部４６の先端が段差を介してさらに延出されている。この延出された先端部４６ａも先端に向かうにつれて突出高さが漸次小さくなるように形成されている。先端部４６ａは、カバー部材４を補強する役割を有している。
【００５３】
このようなカバー部材４は、ハウジング２の上面２ａに沿って配置された基板３を覆うように配置される。図１５に示すように、カバー部材４は、ネジ４７Ａ，４７Ｂがネジ穴２ｈ、２ｇ（図６参照）にねじ込まれることで、ハウジング２の上面２ａに固定される。これにより、カバー部材４はハウジング２とともに基板３を挟持するようにしてハウジング２とは反対側から基板３を押さえつける。
そして、この状態で、図１０、図１４に示すように、カバー部材４に形成された凸部４５の傾斜部４６が、基板３の一部である基板本体３１の第二端部３１ｆ（外周端部）に突き当たる。これにより、基板３は、操作スイッチ６が切り欠き部７２から抜け出る方向への基板３の移動が拘束される。またこの際、凸部４５の先端部４６ａは、基板３と接触しないようになる。
【００５４】
また、図４、図８に示すように、ハウジング２には、開口部２１の内壁面を形成し、基板３の外周部に沿って設けられた第一隔壁２８が形成されている。この第一隔壁２８は、基板３の表面３１ａに直交する面内に位置し、基板３を取り囲むように形成されている。
さらに、ハウジング２には、基板３に設けられた発光素子５と、基板３に設けられた操作スイッチ６との間に、第二隔壁２９が形成されている。第二隔壁２９は、基板３の表面３１ａに直交する面内に位置し、発光素子５と、操作スイッチ６との間を仕切るように設けられている。また、前記の移動規制部７の板状部７１は、第二隔壁２９と、この第二隔壁２９に対して操作スイッチ６を挟んで対向する第一隔壁２８との間に設けられている。
【００５５】
このような第一隔壁２８により、基板３に設けられた発光素子５からの光が、隣接して配置された他の操作スイッチ１２Ａ、１２Ｅ等から漏れ出すのを防ぐ。また、第二隔壁２９により、発光素子５からの光が、操作スイッチ６等に反射して発光素子５側に戻り、操作スイッチ６の影等が形成されてスイッチカバー１７に映るのを防止する。
【００５６】
このように、上述の照明装置１は、車両に取り付けられるハウジング２と、ハウジング２に固定される基板３と、ハウジング２に固定され、基板３を押さえつけるカバー部材４と、基板３に取り付けられる発光素子５と、基板３に取り付けられ、基板３に接離する方向に操作されることで発光素子５の点消灯を切り替える操作スイッチ６と、ハウジング２に形成され、操作スイッチ６の一部に係合し、操作スイッチ６の基板３側への移動を規制する移動規制部７と、を備える。
このような構成によれば、移動規制部７により、操作スイッチ６の基板３側への移動が規制される。これにより、発光素子５の点消灯を切り替えるために操作スイッチ６を基板３に接離する方向に操作したときに、操作スイッチ６の操作力が、操作スイッチ６を介して、操作スイッチ６と基板３との接合部や、基板３に伝達されるのを抑えることができる。したがって、操作スイッチ６と基板３との接合部の半田に割れが生じたり、基板３が曲がってしまうのを抑えることができる。
【００５７】
また、ハウジング２に固定される基板３を、カバー部材４で押さえつけることで、基板３のハウジング２に対して基板３を固定するためのネジ２６の本数を抑えることができる。これによって、基板３をハウジング２に固定する作業に掛かる手間を抑え、作業コストや部品コストを低減することができる。
さらに、基板３の回路を構成する素子がカバー部材４で覆われるため、照明装置１を車両に組付ける際に、作業者が素子に触れたり、外部から塵などが基板３の回路に付着したりするのを防ぐことができる。また、カバー部材４を設けることで、静電気が生じた場合に、その影響が基板３に及ぶのを防ぐことができる。
【００５８】
また、操作スイッチ６は、基板３に固定される本体部６１と、本体部６１に対して出没可能なスイッチ部６２と、を備えている。そして、本体部６１には、スイッチ部６２の出没方向Ｄｓに交差する方向に窪んだ凹部６６が設けられ、移動規制部７は、凹部６６内に挿入される。
これにより、移動規制部７が操作スイッチ６の一部に係合し、操作スイッチ６の基板３側への移動を規制することができる。そして、操作スイッチ６の操作力が、操作スイッチ６を介して、操作スイッチ６と基板３との接合部や、基板３に伝達されるのを抑えることができる。したがって、照明装置１の耐久性を向上させることが可能となる。
【００５９】
また、移動規制部７は、基板３と平行に形成された板状部７１と、板状部７１に形成され、スイッチ部６２の出没方向Ｄｓに交差する方向に凹入した切り欠き部７２と、を有している。そして、凹部６６内に、切り欠き部７２の内周縁部７２ｅが挿入される。
このように、操作スイッチ６の基板３側への移動が規制される。組み立てに際しては、操作スイッチ６の本体部６１を切り欠き部７２に嵌め入れればよいので、照明装置１の組立性を向上させることができる。
【００６０】
また、切り欠き部７２の内周縁部７２ｅは、スイッチ部６２の出没方向Ｄｓに交差する方向に開口する開口端７２ａを有している。開口端７２ａ及び内周縁部７２ｅは、操作スイッチ６の凹部６６の外径よりも幅広に形成されている。
これにより、操作スイッチ６の本体部６１を切り欠き部７２に嵌め入れるときに、切り欠き部７２から操作スイッチ６に応力が作用するのを抑えることができる。したがって、操作スイッチ６を介して、操作スイッチ６と基板３との接合部に応力が作用するのを抑えることができる。
【００６１】
さらに、切り欠き部７２の内周縁部７２ｅに沿って、板状部７１の表面に対して窪んだ段部７３が形成されている。
これにより、操作スイッチ６の凹部６６に切り欠き部７２の内周縁部７２ｅを挿入すると、操作スイッチ６の本体部６１の外周側に段部７３が位置することになる。したがって、操作スイッチ６の切り欠き部７２への装着状態を目視により容易に確認することができる。
【００６２】
また、照明装置１は、ハウジング２に形成され、切り欠き部７２の凹入方向に交差する方向Ｄ２で、基板３に突き当たる基板位置決め部２２、２３、２４、２５をさらに備える。
このように、基板位置決め部２２、２３、２４、２５が、基板３に突き当たることで、切り欠き部７２の凹入方向に交差する方向Ｄ２における基板３の位置ズレを抑えることができる。
【００６３】
さらに、板状部７１は、この板状部７１以外のハウジング２の肉厚（例えば、後述の第二隔壁２９等）よりも厚肉に形成されている。このため、ハウジング２の必要な箇所のみ必要な剛性を確保できるので、ハウジング２の材料コストを低減できる。また、ハウジング２の全体を肉厚にしないので、ハウジング２を樹脂成形する際、ハウジング２の熱ヒケ等による変形を抑制できる。
【００６４】
また、カバー部材４は、基板３に向かって突出し、基板３の一部に突き当たることで、基板３を拘束する凸部４５を備える。このように、凸部４５が基板３の一部に突き当たることで、基板３を拘束することができるので、この点において、基板３をハウジング２に固定するためのネジ２６の本数を減少することができる。
【００６５】
さらに、凸部４５は、切り欠き部７２の凹入方向に沿って延び、基板３の外周側から基板３に近づくにつれてカバー部材４からの突出高さが漸次小さくなる傾斜部４６を有している。そして、傾斜部４６に基板３の外周端部が突き当たることで、操作スイッチ６が切り欠き部７２から抜け出る方向への基板３の移動が拘束される。このように、基板３の外周端部が、カバー部材４に形成された凸部４５の傾斜部４６に突き当たることで、基板３のガタ付きを抑えることができる。
【００６６】
また、照明装置１は、ハウジング２に形成され、基板３の外周部に沿って設けられた第一隔壁２８をさらに備える。これにより、第一隔壁２８によって、基板３に設けられた発光素子５からの光が、ハウジング２に形成された他の操作スイッチ１２Ａ、１２Ｅ等から漏れ出すのを防ぐことができる。
【００６７】
さらに、照明装置１は、ハウジング２に形成され、基板３に設けられた発光素子５と、基板３に設けられた操作スイッチ６との間に配置された第二隔壁２９をさらに備える。これにより、第二隔壁２９によって、発光素子５からの光が、操作スイッチ６等に反射し、操作スイッチ６の影等が形成されるのを防ぐことができる。
【００６８】
（その他の実施形態）
なお、本発明は上述の各実施形態に限られるものではなく、本発明の趣旨を逸脱しない範囲において、上述の実施形態に種々の変更を加えたものを含む。
例えば、上記実施形態では、本発明の構成を、ルームランプ１１に適用するようにしたが、他の操作スイッチ１２Ａ〜１２Ｅ等に同様の構成を適用してもよい。
【００６９】
また、上記実施形態で示した照明装置１の構成は一例に過ぎず、その形状や外観、装備するスイッチやランプ類については、適宜変更することが可能である。
また、上記実施形態では、照明装置１を、車両のルームランプ１１として使用する例を説明したが、これに限定するものではない。例えば、照明装置１を、例えば建物の室内等の他の個所で使用することも可能である。
これ以外にも、本発明の主旨を逸脱しない限り、上記実施の形態で挙げた構成を取捨選択したり、他の構成に適宜変更したりすることが可能である。
【符号の説明】
【００７０】
１…照明装置
２…ハウジング
３…基板
４…カバー部材
５…発光素子
６…操作スイッチ
７…移動規制部
２２、２３、２４、２５…基板位置決め部
２８…第一隔壁
２９…第二隔壁
４５…凸部
４６…傾斜部
６１…本体部
６２…スイッチ部
６６…凹部
７１…板状部
７２…切り欠き部
７２ａ…開口端
７２ｅ…内周縁部
７３…段部
【図１】
2019034687.tif 000003
【図２】
2019034687.tif 000004
【図３】
2019034687.tif 000005
【図４】
2019034687.tif 000006
【図５】
2019034687.tif 000007
【図６】
2019034687.tif 000008
【図７】
2019034687.tif 000009
【図８】
2019034687.tif 000010
【図９】
2019034687.tif 000011
【図１０】
2019034687.tif 000012
【図１１】
2019034687.tif 000013
【図１２】
2019034687.tif 000014
【図１３】
2019034687.tif 000015
【図１４】
2019034687.tif 000016
【図１５】
2019034687.tif 000017